(57)【要約】【課題】ロック機構の組付作業性の向上と、電気接続箱のスペース効率の向上の何れをも達成することができる、新規な構造の電気接続箱を提供すること。【解決手段】箱本体１２の周壁部３０は、一方の面１４側に突出する端部の突出端位置が周方向で異なることにより形成された高壁部３２と低壁部３４を含んでいる一方、箱本体１２に設けられたロック部３６又は被ロック部５６の少なくとも一部が、低壁部３４を越えて一方の面１４側に突出しており、ロック機構１７を介して箱本体１２にカバー部材１６が装着固定された状態で、カバー部材１６の覆蓋面４２と低壁部３４の上端面５２との対向距離が、カバー部材１６の覆蓋面４２と高壁部３２の上端面５４との対向距離よりも大きくした。【選択図】図１
2014236609.tif 000002
【特許請求の範囲】
【請求項１】
電気部品が装着される複数の部品装着部が一方の面に設けられた箱本体と、
前記箱本体の前記一方の面を覆蓋するカバー部材と、
前記箱本体の周壁部と前記カバー部材の周壁部の一方に設けられたロック部と他方に設けられた被ロック部からなり、該箱本体と該カバー部材を着脱自在に装着固定するロック機構とを備えた電気接続箱であって、
前記箱本体の前記周壁部は、前記一方の面側に突出する端部の突出端位置が周方向で異なることにより形成された高壁部と低壁部を含んでいる一方、
前記箱本体に設けられた前記ロック部又は前記被ロック部の少なくとも一部が、前記低壁部を越えて前記一方の面側に突出しており、
前記ロック機構を介して前記箱本体に前記カバー部材が装着固定された状態で、前記カバー部材の覆蓋面と前記低壁部の上端面との対向距離が、前記カバー部材の前記覆蓋面と前記高壁部の上端面との対向距離よりも大きくされている
ことを特徴とする電気接続箱。
【請求項２】
前記箱本体に設けた前記部品装着部のうち、前記低壁部側に設けた部品装着部がリレーが装着されるリレー装着部を有する請求項１に記載の電気接続箱。
【請求項３】
前記箱本体に設けた前記部品装着部のうち、前記高壁部側に設けた部品装着部がヒューズが装着されるヒューズ装着部を有する請求項１又は２に記載の電気接続箱。
【請求項４】
前記箱本体の前記周壁部に両端部が連結されて突設された係合枠を有する前記ロック部が設けられている一方、前記カバー部材の前記周壁部の突出端部側に連結されて前記覆蓋面側に向かって片持ち状に突設された弾性撓み片を有する前記被ロック部が設けられており、
前記カバー部材の前記周壁部には、前記弾性撓み片が撓み変形した際に前記係合枠に当接して前記周壁部の変形を阻止する変形規制突起が設けられている請求項１〜３の何れか１項に記載の電気接続箱。
【発明の詳細な説明】
【技術分野】
【０００１】
本発明は、自動車等に搭載される電気接続箱に関し、特に、箱本体に対してカバー部材を着脱自在に装着するロック機構を備えた電気接続箱に関するものである。
【背景技術】
【０００２】
従来から、自動車の電装系には、リレーボックスやヒューズボックス、ジャンクションボックス等の電気接続箱が用いられており、かかる電気接続箱に多数のリレーやヒューズ等の電気部品を集中して配設することによって、電気配線の効率化や交換等のメンテナンス性の向上が図られている。
【０００３】
このような電気接続箱は、特開平１１−３０７９５４号公報（特許文献１）や特開２０１２−２３５６５４号公報（特許文献２）等に記載されているとおり、バスバーやプリント基板等から構成される内部回路を収容する箱本体を備えている。箱本体の一面である上面には、電気部品が装着される複数の部品装着部が設けられており、ロック機構を介して箱本体に着脱自在に装着固定されるカバー部材によって、箱本体の上面が覆われるようになっている。
【０００４】
ところで、箱本体の周壁部は、部品装着部が設けられた箱本体の上面側に所定高さで突出する突出端部を含んでおり、かかる突出端部にカバー部材の周壁部の先端周壁部が重ね合されることで、箱本体に対してカバー部材が位置決め配置される。そして、カバー部材の周壁部と箱本体の周壁部の一方に設けられたロック部と他方に設けられた被ロック部からなるロック機構を嵌合させることにより、カバー部材が箱本体に離脱可能に固定されているのである。
【０００５】
ところが、従来構造の電気接続箱では、箱本体の周壁部に設けられた被ロック部が、箱本体の上面に突出する突出端部よりも下方に位置していることから、被ロック部の位置が確認し難いという問題を内在していた。それ故、箱本体にカバー部材を装着する際には、箱本体の被ロック部の位置を上方から確認しつつ、上方からカバー部材のロック部を箱本体の被ロック部に位置合わせして嵌合させる必要があり、箱本体の被ロック部の位置確認の視線上にカバー部材が存在して見辛く、作業性の低下につながるおそれがあった。
【０００６】
また、従来構造では、箱本体の上面の周囲に設けられた突出端部が箱本体の全周に亘って同じ高さ位置に設定されている。そうすると、箱本体に装着される電気部品として、部品装着部の内部に挿通配置されるリード部から上面側に突出する本体部の高さ寸法が大きなリレーや、リード部から上面側に突出する本体部の高さ寸法が小さなヒューズが混在する場合に、本体部の高さ寸法が大きなリレー等の電気部品が他の電気部品に比べて大きく上方に突出することが避けられない（特許文献２の図１参照）。このような箱本体にカバー部材を取り付けるためには、カバー部材における覆蓋面からの周壁部の突出高さを、最も高さ寸法の大きなリレー等の電気部品を収容し得る高さに調節する必要がある。それ故、リレー等の電気部品が装着される領域以外の部分では、電気部品とカバー部材の覆蓋面との間に大きな空きスペースが形成されてしまい、省スペース化の妨げとなっていた。
【先行技術文献】
【特許文献】
【０００７】
【特許文献１】特開平１１−３０７９５４号公報
【特許文献２】特開２０１２−２３５６５４号公報
【発明の概要】
【発明が解決しようとする課題】
【０００８】
本発明は、上述の事情を背景に為されたものであって、その解決課題は、ロック機構の組付作業性の向上と、電気接続箱のスペース効率の向上の何れをも達成することができる、新規な構造の電気接続箱を提供することにある。
【課題を解決するための手段】
【０００９】
以下、前述の如き課題を解決するために為された本発明の態様を記載する。なお、以下に記載の各態様において採用される構成要素は、可能な限り任意の組み合わせで採用可能である。
【００１０】
本発明の第一の態様は、電気部品が装着される複数の部品装着部が一方の面に設けられた箱本体と、前記箱本体の前記一方の面を覆蓋するカバー部材と、前記箱本体の周壁部と前記カバー部材の周壁部の一方に設けられたロック部と他方に設けられた被ロック部からなり、該箱本体と該カバー部材を着脱自在に装着固定するロック機構とを備えた電気接続箱であって、前記箱本体の前記周壁部は、前記一方の面側に突出する端部の突出端位置が周方向で異なることにより形成された高壁部と低壁部を含んでいる一方、前記箱本体に設けられた前記ロック部又は前記被ロック部の少なくとも一部が、前記低壁部を越えて前記一方の面側に突出しており、前記ロック機構を介して前記箱本体に前記カバー部材が装着固定された状態で、前記カバー部材の覆蓋面と前記低壁部の上端面との対向距離が、前記カバー部材の前記覆蓋面と前記高壁部の上端面との対向距離よりも大きくされていることを特徴とする。
【００１１】
本態様によれば、カバー部材が装着される箱本体の一方の面側において、箱本体の周壁部が高壁部と低壁部を含んで構成されており、箱本体の周壁部に設けられたロック部又は被ロック部の少なくとも一部が、低壁部を越えて一方の面側に突出して露呈されている。従って、従来構造のようにロック部又は被ロック部が周壁部の突出端部よりも下方に位置している場合に比して、ロック部又は被ロック部の視認性やアクセス容易性が低壁部により向上されており、カバー部材と箱本体のロック機構を介した組付作業性の向上や容易化が図られている。
【００１２】
また、箱本体の周壁部に高壁部と低壁部を設けたことを利用して、箱本体にカバー部材を装着固定した状態における、それらの間の空間（周壁部上端面とカバー部材の覆蓋面との対向距離）を低壁部側で大きくし、高壁部側で小さくすることができる。これにより、電気部品を電気部品装着部に装着する際に、箱本体の一方の面側に突出する本体部の高さ寸法が大きなリレー等の部品を低壁部側に配設し、本体部の高さ寸法が小さなヒューズ等の部品を高壁部側に配設することで、箱本体とカバー部材との対向面間距離に無駄なスペースを発生させないスペース効率のよい部品収容が可能となるのである。その結果、無駄スペースを省いて電気接続箱のコンパクト化を図ることができ、近年の省スペース化の要求に対応することが可能となるのである。
【００１３】
加えて、低壁部側に配置した電気部品は、低壁部の上端面を越えて本体部が大きく突出され露呈されることとなる。それ故、かかる電気部品へのアクセス性が向上し、電気部品装着部に対する部品の着脱容易性を向上させることができる。また、高壁部側に配置した電気部品は、高壁部の上端面から大きく突出することが避けられ、周壁部による電気部品の保護性を向上させることができる。
【００１４】
なお、ロック機構を構成するロック部と被ロック部の具体的形状は、特に限定されるものではなく、任意に設定可能である。また、箱本体とカバー部材の周壁部にロック部と被ロック部の何れを設けるかについても、特に限定されることなく適宜選択可能である。
【００１５】
また、箱本体に設けられたロック部又は被ロック部は、少なくとも一部が低壁部から突出して露呈されていればよく、ロック部又は被ロック部の全てが低壁部から突出して露呈されていてもよい。
【００１６】
本発明の第二の態様は、前記第一の態様に記載のものにおいて、前記箱本体に設けた前記部品装着部のうち、前記低壁部側に設けた部品装着部がリレーが装着されるリレー装着部を有するものである。
【００１７】
本態様によれば、低壁部側の部品装着部がリレー装着部とされていることから、部品装着部から一方の面側に突出する本体部の高さ寸法が大きなリレーを有利に収容することができる。しかも、部品交換時に手指で把持することが多いリレー本体部へのアクセス性が向上されていることから、作業性の向上を同時に図ることもできる。
【００１８】
本発明の第三の態様は、前記第一又は第二の態様に記載のものにおいて、前記箱本体に設けた前記部品装着部のうち、前記高壁部側に設けた部品装着部がヒューズが装着されるヒューズ装着部を有するものである。
【００１９】
本態様によれば、高壁部側の部品装着部がヒューズ装着部とされていることから、部品装着部から一方の面側に突出する本体部の高さ寸法が小さなヒューズを、カバー部材との間に大きな無駄スペースを設けることなく効率的に収容することができる。しかも、溶断部を含むヒューズの本体部を外部に大きく露呈させることなく高壁部でカバーすることができることから、周壁部によりヒューズを保護することが可能となる。
【００２０】
本発明の第四の態様は、前記第一乃至第三の何れか一つの態様に記載のものにおいて、前記箱本体の前記周壁部に両端部が連結されて突設された係合枠を有する前記ロック部が設けられている一方、前記カバー部材の前記周壁部の突出端部側に連結されて前記覆蓋面側に向かって片持ち状に突設された弾性撓み片を有する前記被ロック部が設けられており、前記カバー部材の前記周壁部には、前記弾性撓み片が撓み変形した際に前記係合枠に当接して前記周壁部の変形を阻止する変形規制突起が設けられているものである。
【００２１】
本態様によれば、箱本体の周壁部に係合枠を有するロック部が設けられていることから、低壁部により係合枠の視認性を向上させつつ、ロック部の剛性を確保することができる。また、カバー部材の周壁部に弾性撓み片を設けて弾性撓み片の撓み容易性を担保して挿入力の低減を図りつつ、変形規制突起によりカバー部材の周壁部の過度の変形を阻止して、係合枠と弾性撓み片の軌跡を所期の形状に維持して、係合枠への弾性撓み片の挿入安定性、ひいてはロック部と被ロック部の嵌合安定性を保持することができる。
【発明の効果】
【００２２】
本発明によれば、箱本体の周壁部が高壁部と低壁部を含んで構成されており、ロック部又は被ロック部の少なくとも一部が、低壁部を越えて一方の面側に突出して露呈されている。これにより、ロック部又は被ロック部の視認性等が向上され、カバー部材と箱本体の組付作業性の向上等が図られる。また、周壁部上端面とカバー部材の覆蓋面との対向距離を低壁部側で大きくし、高壁部側で小さくすることができることから、高さ寸法が大きなリレー等の部品を低壁部側に配設し、高さ寸法が小さなヒューズ等の部品を高壁部側に配設することで、箱本体とカバー部材との対向面間距離に無駄なスペースを発生させない部品収容が可能となる。加えて、低壁部側に配置した電気部品は着脱容易性を向上できる一方、高壁部側に配置した電気部品は、周壁部による電気部品の保護性を向上できる。
【図面の簡単な説明】
【００２３】
【図１】本発明の一実施形態としての電気接続箱の分解斜視図。
【図２】本発明の一実施形態としての電気接続箱の斜視図。
【図３】図２をＩＩＩ−ＩＩＩ断面で切断した際の斜視図。
【図４】図１に示す電気接続箱の正面図。
【図５】図２に示す電気接続箱の正面図。
【図６】図２のＶＩ−ＶＩ断面拡大図。
【発明を実施するための形態】
【００２４】
以下、本発明の実施形態について、図面を参照しつつ説明する。
【００２５】
先ず、図１〜６には、本発明の一実施形態としての電気接続箱たるリレーボックス１０が、示されている。このリレーボックス１０は、箱本体１２と、箱本体１２の一方の面である上面１４を覆蓋するカバー部材１６と、箱本体１２とカバー部材１６を着脱自在に装着固定するロック機構１７、とを含んで構成されている。ここで、箱本体１２の上面１４とは、箱本体１２の上方の開口側を構成する面であって、必ずしも平坦でなくてもよい（図３参照）。以下の説明において、上方とは、図１中の上方、下方とは、図１中の下方、また前方とは、図１中の左方、後方とは、図１中の右方を言うものとする。
【００２６】
箱本体１２は、全体として長手矩形ブロック形状を呈しており、例えばポリプロピレン（ＰＰ）、ポリアミド（ＰＡ）等の合成樹脂により射出成形等によって一体形成されている。図１に示すように、箱本体１２の上面１４には、複数の部品装着部たる、リレー装着部１８ａ，１８ｂ（本実施形態では６つ）やヒューズ装着部２０（本実施形態では４つ）が、上方に向かって開口形成されている。なお、図示は省略するが、箱本体１２の下面には、複数の端子収容孔が下方に向かって開口形成されており、電線の端末に圧着された圧着端子等が端子収容孔に収容配置されるようになっていると共に、内部回路を構成するバスバー等がバスバー収容溝等に収容配置されるようになっている。
【００２７】
そして、箱本体１２の上面１４側から、各リレー装着部１８ａ，１８ｂや各ヒューズ装着部２０に対して、電気部品としてのリレー２４ａ，２４ｂやヒューズ２６が装着されると、リレー２４ａ，２４ｂやヒューズ２６から突出する図示しないタブ端子が、上述の電線の端末の圧着端子やバスバー等に接続されて導通されるようになっている。
【００２８】
また、図１に示すように、箱本体１２の上面１４の周縁部には、箱本体１２の上面１４側すなわち鉛直方向上方に向って突出する周壁部３０が全周に亘って設けられており、周壁部３０の端部の突出端位置が周方向で異なることにより形成された高壁部３２と低壁部３４を含んで構成されている。本実施形態においては、図１に示すように、周壁部３０のうち、箱本体１２の幅方向で対向する周壁３０ａは低壁部３４により構成され、周壁３０ｃは高壁部３２から構成されている。加えて、主に周壁３０ａ側すなわち低壁部３４側にリレー装着部１８ａ，１８ｂが設けられている一方、主に周壁３０ｃ側すなわち高壁部３２側にヒューズ装着部２０が設けられている。
【００２９】
一方、図１に示すように、箱本体１２の長手方向で対向する周壁３０ｂ，３０ｄには、箱本体１２の上方開口部近傍において、それぞれ平面視でコ字状のロック部たる係合枠３６，３６が突設されている。より詳細には、係合枠３６，３６は、周壁３０ｂ，３０ｄに両端部が連結されて突設された構造とされているのである。図４に示すように、係合枠３６は、その一部が低壁部３４を越えて箱本体１２の上面１４側すなわち鉛直方向上方に向って突出するように構成されている。図６に示すように、係合枠３６，３６の上端部には内方に向って略三角断面形状で突出する係合突起３８，３８が設けられている。また、周壁３０ｂ（３０ｄ）には、係合枠３６の下端部に向って突出するストッパ４０が設けられている。なお、このストッパ４０は、箱本体１２にカバー部材１６が装着固定された状態で、後述する弾性撓み片５６が係合枠３６へ過度に挿入されることを有利に防止し得るのである。
【００３０】
カバー部材１６は、下方に開口する有底箱体形状を有している一方（図１参照）、平面視において、箱本体１２の上面１４と略同一の長手矩形状に形成されており、例えばポリプロピレン（ＰＰ）、ポリアミド（ＰＡ）等の合成樹脂により射出成形等によって一体形成されている。
【００３１】
カバー部材１６の覆蓋面４２の周縁部には、鉛直方向下方に向って突出する周壁部４４が全周に亘って設けられており、図４に示すように、周壁部４４の端部の突出端位置が周方向で異なることにより形成された高壁部４６と低壁部４８を含んで構成されている。これら高壁部４６，低壁部４８はそれぞれ、箱本体１２の高壁部３２，低壁部３４と対向する位置に設けられている。しかも、周壁部４４の下部には、逆Ｌ字状に突出する先端周壁部５０が全周に亘って設けられている一方、図３に示すように、先端周壁部５０の突出端部は周壁部４４の突出端部よりも下方まで突出されている。
【００３２】
なお、カバー部材１６の覆蓋面４２は、平坦面とされている。それ故、図３に示すように、ロック機構１７を介して箱本体１２にカバー部材１６が装着固定された状態で、カバー部材１６の覆蓋面４２と箱本体１２の低壁部３４の上端面５２との対向距離：Ｌ１が、カバー部材１６の覆蓋面４２と箱本体１２の高壁部３２の上端面５４との対向距離：Ｌ２よりも大きくされているのである。
【００３３】
一方、カバー部材１６の長手方向で対向する周壁４４ｂ，４４ｄには、図１に示すように、カバー部材１６の下方開口部近傍において、箱本体１２のロック部たる係合枠３６，３６と対向する位置に、被ロック部たる弾性撓み片５６，５６が設けられている。また、弾性撓み片５６の中央部上方には、略矩形状の係合孔５８が貫設されている。要するに、図６に示すように、弾性撓み片５６は、カバー部材１６の周壁部４４における先端周壁部５０の突出端部側に連結されて覆蓋面４２側すなわち略鉛直方向上方に向かって片持ち状に突設されているのである。
【００３４】
加えて、カバー部材１６の長手方向で対向する周壁４４ｂ，４４ｄにおける先端周壁５０ｂ，５０ｄには、図１および図２に示すように、箱本体１２への組み付け時において係合枠３６，３６と弾性撓み片５６，５６の間に構成される隙間の略全体に亘って、変形規制突起６０，６０が形成されている。図６に示すように、変形規制突起６０の突出高さは、箱本体１２への組み付け時において、略一定の僅かな間隙を隔てて係合枠３６と対向配置されるように構成されている。なお、カバー部材１６の幅方向で対向する周壁４４ａ，４４ｃ（先端周壁５０ａ，５０ｃを含む）の外面は、何も突設されない平坦面とされている。
【００３５】
このようなカバー部材１６を箱本体１２の上方開口部に組み付ける際には、図３または図６に示すように、カバー部材１６の周壁部４４と先端周壁部５０の下端部分によって構成された凹所６２に、箱本体１２の周壁部３０の上端部分が挿し入れられる。さらに、カバー部材１６が箱本体１２側に押し込まれると、図６に示すように、カバー部材１６の弾性撓み片５６，５６が箱本体１２の係合枠３６，３６の係合突起３８，３８に当接し、弾性撓み片５６，５６が内方に撓み変形して更なる押し込みが許容される。この際、弾性撓み片５６，５６が内方に撓み変形することにより、弾性撓み片５６，５６に連結された先端周壁５０ｂ，５０ｄが外方に変形しようとする。しかしながら、図６に示すように、先端周壁５０ｂ，５０ｄに突設された変形規制突起６０，６０が略一定の僅かな間隙を隔てて係合枠３６，３６と対向配置されるように構成されていることから、変形規制突起６０，６０が係合枠３６，３６に当接し、先端周壁５０ｂ，５０ｄすなわち周壁部４４の変形が阻止されるようになっている。そして、弾性撓み片５６，５６が係合突起３８，３８を乗り越えて弾性撓み片５６，５６が弾性復帰されると、係合突起３８，３８が係合孔５８，５６に係合して、カバー部材１６が箱本体１２の上方開口部への装着状態にロックされるのである。このように、本実施形態では、箱本体１２の対向周壁３０ｂ，３０ｄに設けられた係合枠３６，３６と、カバー部材１６の対向周壁４４ｂ，４４ｄにおける先端周壁５０ｂ，５０ｄに設けられた弾性撓み片５６，５６により、箱本体１２とカバー部材１６を着脱自在に装着固定する一対のロック機構１７が構成されているのである。
【００３６】
このような構造とされた本実施形態のリレーボックス１０によれば、カバー部材１６が装着される箱本体１２の上面１４側において、箱本体１２の周壁部３０が高壁部３２と低壁部３４を含んで構成されており、箱本体１２の周壁部３０に設けられたロック部たる係合枠３６が、低壁部３４を越えて上方に突出して露呈されている（図１，図４参照）。これにより、従来の如き係合枠が周壁部の突出端部よりも下方に位置している場合に比して、係合枠３６の視認性やアクセス容易性が向上されており、カバー部材１６と箱本体１２のロック機構１７を介した組付作業性の向上や容易化が図られているのである。
【００３７】
また、箱本体１２にカバー部材１６が装着固定された状態で、箱本体１２の周壁部３０の上端面５２，５４とカバー部材１６の覆蓋面４２との対向距離：Ｌ１，Ｌ２を、箱本体１２の低壁部３４側で大きく且つ高壁部３２側で小さくされている（図３中、Ｌ１＞Ｌ２）。これにより、本体部の高さ寸法が大きなリレー２４ａ，２４ｂを箱本体１２の低壁部３４側に配設することで、リレー２４ａ，２４ｂを有利に収容することができる。しかも、部品交換時に手指で把持することが多いリレー２４ａ，２４ｂ本体部へのアクセス性が向上されていることから、作業性の向上を同時に図ることもできる。加えて、本体部の高さ寸法が小さなヒューズ２６を箱本体１２の高壁部３２側に配設することで、カバー部材１６との間に大きな無駄スペースを設けることなく効率的に収容することができる。しかも、溶断部を含むヒューズ２６の本体部を外部に大きく露呈させることなく高壁部３２でカバーすることができることから、周壁部３０によりヒューズ２６を保護することが可能となるのである。
【００３８】
また、本実施形態では、カバー部材１６の周壁部４４に弾性撓み片５６を設けて弾性撓み片５６の撓み容易性を担保して挿入力の低減を図りつつ、変形規制突起６０によりカバー部材１６の周壁部４４の過度の変形を阻止して、係合枠３６と弾性撓み片５６の軌跡を所期の形状に維持して、係合枠３６への弾性撓み片５６の挿入安定性、ひいては係合枠３６と弾性撓み片５６の嵌合安定性を保持することができる。
【００３９】
以上、本発明の実施形態について詳述したが、本発明はその具体的な記載によって限定されない。例えば、本発明の電気接続箱としてリレーボックス１０を例にとり説明を行ったが、ヒューズボックスやジャンクションボックス等に対しても勿論本発明を適用することができる。
【００４０】
また、ロック機構を構成するロック部と被ロック部の具体的形状は、特に限定されるものではなく、任意に設定可能である。加えて、箱本体１２とカバー部材１６の周壁部３０，４４にロック部と被ロック部の何れを設けるかについても、特に限定されることなく適宜選択可能である。しかも、箱本体１２に設けられたロック部又は被ロック部は、少なくとも一部が箱本体１２の低壁部３４から突出して露呈されていればよく、ロック部又は被ロック部の全てが箱本体１２の低壁部３４から突出して露呈されていてもよい。
【符号の説明】
【００４１】
１０：リレーボックス（電気接続箱）、１２：箱本体、１４：上面（一方の面）、１６：カバー部材、１７：ロック機構、１８ａ，ｂ：リレー装着部（部品装着部）、２０：ヒューズ装着部（部品装着部）、２４ａ，ｂ：リレー（電気部品）、２６：ヒューズ（電気部品）、３０：周壁部、３２：高壁部、３４：低壁部、３６：係合枠（ロック部）、４２：覆蓋面、４４：周壁部、５２：上端面、５４：上端面、５６：弾性撓み片（被ロック部）、６０：変形規制突起
【図１】
2014236609.tif 000003
【図２】
2014236609.tif 000004
【図３】
2014236609.tif 000005
【図４】
2014236609.tif 000006
【図５】
2014236609.tif 000007
【図６】
2014236609.tif 000008